(57)【要約】【課題】絆創膏用の剥離紙が不要であり、剥離紙がなくても絆創膏を清潔に保つことができ、救急のときを含め用時に手取り早く絆創膏を患部に簡単に貼ることができ、使いやすく、嵩ばらず、製品コストを安くできる絆創膏製品を提供する。【解決手段】粘着層１２が形成された本体シート１１を備えた絆創膏１０と、この絆創膏１０が収容される包装フィルム２０とからなり、この包装フィルム２０の内側に、シリコーン層２２が形成されており、包装フィルム２０のシリコーン層２２に、絆創膏１０の粘着層１２を重ね合わされた状態で、絆創膏１０を内側にして包装フィルム２０が三つ折りされて折り畳まれ、折り畳まれた状態の包装フィルム２０の上面における端縁同士が重ね合わされて、かつ、包装フィルム２０の両端開口部分が、シールされている。【選択図】　　　　図１
2004024752.tif 000002
【特許請求の範囲】
【請求項１】
粘着層が形成された本体シートを備えた絆創膏と、該絆創膏が収容される包装フィルムとからなり、
該包装フィルムの内側に、シリコーン層が形成されており、
該包装フィルムのシリコーン層に、前記絆創膏の粘着層を重ね合わされた状態で、前記絆創膏を内側にして前記包装フィルムが三つ折りされて折り畳まれ、
折り畳まれた状態の前記包装フィルムの上面における端縁同士が重ね合わされ、かつ該包装フィルムの両側開口部分が、シールされている
ことを特徴とする絆創膏製品。
【請求項２】
粘着層が形成された本体シートを備えた絆創膏と、該絆創膏が収容される一対の包装フィルムとからなり、
該各包装フィルムの内側に、シリコーン層が形成されており、
該一対の包装フィルムが一端縁同士を重ね合わされており、
該重ね合わされた一対の包装フィルムのシリコーン層に、前記絆創膏の粘着層の半面ずつを、それぞれ重ね合わされた状態で、前記絆創膏を内側にして前記各包装フィルムが折り畳まれ、
折り畳まれた状態の前記一対の包装フィルムの上面における他端縁同士が重ね合わされ、かつ該包装フィルムの両側開口部分が、シールされている
ことを特徴とする絆創膏製品。
【発明の詳細な説明】
【０００１】
【発明の属する技術分野】
本発明は、絆創膏製品に関する。
【０００２】
【従来の技術】
図１０は従来の絆創膏製品１０１　の単体図であって、（ａ）は平面図、（ｂ）は（ａ）図のｂ−ｂ線断面図である。図１１は従来の絆創膏製品１０１　の使用説明図である。図１０〜１１に示すように、従来の絆創膏製品１０１　は、絆創膏１１０　が、上下一対の包装材　１２１、１２２　に挟み込まれて包装されたものである。絆創膏１１０　は、本体シート１１に粘着層１２が形成され、この粘着層１２の中央部分にパッド１３が重ね合わされ、このパッド１３および粘着層１２に左右一対の剥離紙１１４　，１１５　が重ね合わされたものである。
絆創膏１１０　は包装材　１２１、１２２　によって包装されており、本体シート１１の粘着層１２には剥離紙１１４　，１１５　が重ね合わされているから、絆創膏１１０　の粘着面を清潔に保つことができる。
この絆創膏製品１０１　を使用するときには、図１１（Ｉ）、（ＩＩ）に示すように、まず、包装材１２１　、１２２　を上下に開いて、その中から絆創膏１１０　を取り出す。つぎに、図１１（ＩＩＩ）に示すように、絆創膏１１０　の本体シート１１から左右一対の剥離紙１１４　、１１５　を剥離させながら両開きにして、パッド１３を露出させる。そして、パッド１３を所望の患部に位置合わせして、本体シート１１を患部の周辺に貼付し剥離紙１１４　、１１５　を剥がし取れば、本体シート１１を患部に正確に貼付することができる。
【０００３】
【発明が解決しようとする課題】
絆創膏は、擦傷や創傷などの患部に貼付して使用するものであるから、清潔であることは必須条件である。このため、絆創膏の製造業界では、絆創膏は、本体シートの粘着層に剥離紙が重ね合わされた構造のものが支配的であり、この剥離紙付きの絆創膏を包装材で包装したものを絆創膏製品にするという考えが固定化してしまっている。
しかるに、従来の絆創膏製品１０１　は、剥離紙付きの絆創膏１１０　を備えているがゆえに、以下の（ｉ）〜（ｉｉｉ）に示す問題がある。
（ｉ）絆創膏１１０　を製造するには、剥離紙１１４　、１１５　が必要なので材料費が余分にかかり、本体シート１１の粘着層１２に剥離紙１１４　、１１５　を重ね合わせる必要があるので加工費が余分にかかる。このため、剥離紙付きの絆創膏１１０　を備えた絆創膏製品１０１　の製品コストは高くなってしまうのである。
（ｉｉ）絆創膏製品１０１　は、包装材１２１　，１２２　、本体シート１１、粘着層１２およびパッド１３の他に、剥離紙１１４　，１１５　を備えているため、必要以上に嵩ばる。
（ｉｉｉ）絆創膏１１０　の本体シート１１を使用するときには、包装材１２１　、１２２　から絆創膏１１０　を取り出した後に剥離紙１１４　，１１５　を剥がし取る手間が必要であり、救急のときを含め用時に、手取り早く本体シート１１を患部に貼付することができない。
【０００４】
本発明はかかる事情に鑑み、絆創膏用の剥離紙が不要であり、剥離紙がなくても絆創膏を清潔に保つことができ、救急のときを含め用時に手取り早く絆創膏を患部に簡単に貼ることができ、小さくて携帯に便利で、使いやすく、嵩ばらず、製品コストを安くできる絆創膏製品を提供することを目的とする。
【０００５】
【課題を解決するための手段】
請求項１の絆創膏製品は、粘着層が形成された本体シートを備えた絆創膏と、該絆創膏が収容される包装フィルムとからなり、該包装フィルムの内側に、シリコーン層が形成されており、該包装フィルムのシリコーン層に、前記絆創膏の粘着層を重ね合わされた状態で、前記絆創膏を内側にして前記包装フィルムが三つ折りされて折り畳まれ、折り畳まれた状態の前記包装フィルムの上面における端縁同士が重ね合わされ、かつ該包装フィルムの両側開口部分が、シールされていることを特徴とする。
請求項２の絆創膏製品は、粘着層が形成された本体シートを備えた絆創膏と、該絆創膏が収容される一対の包装フィルムとからなり、該各包装フィルムの内側に、シリコーン層が形成されており、該一対の包装フィルムが一端縁同士を重ね合わされており、該重ね合わされた一対の包装フィルムのシリコーン層に、前記絆創膏の粘着層の半面ずつを、それぞれ重ね合わされた状態で、前記絆創膏を内側にして前記各包装フィルムが折り畳まれ、折り畳まれた状態の前記一対の包装フィルムの上面における他端縁同士が重ね合わされ、かつ該包装フィルムの両側開口部分が、シールされていることを特徴とする。
【０００６】
請求項１の発明によれば、絆創膏は包装フィルムによって包装されているので、絆創膏を清潔に保つことができる。また、絆創膏の粘着層が包装フィルムのシリコーン層に重ね合わされているので、絆創膏の粘着剤層が包装フィルムに強く接着せず、用時には手軽に剥がすことができる。このため、絆創膏用の剥離紙が不要であり、絆創膏用の剥離紙を構成要素として備えていないので、嵩ばらず、材料費が安く、製造が簡単となる。さらに、絆創膏製品の上面における包装フィルムの重なり合った部分をそれぞれ掴んで両開きにすると、包装フィルムのシール部分が破れて開き絆創膏が露出するので、この絆創膏を包装フィルムから剥離させることにより、手取早く絆創膏を患部に貼ることができ、使いやすい。そして、折り畳まれているので、小さくて携帯に便利である。
請求項２の発明によれば、絆創膏は包装フィルムによって包装されているので、絆創膏を清潔に保つことができる。また、絆創膏の粘着層が包装フィルムのシリコーン層に重ね合わされているので、絆創膏の粘着剤層が包装フィルムに強く接着せず、用時には手軽に剥がすことができる。このため、絆創膏用の剥離紙が不要であり、絆創膏用の剥離紙を構成要素として備えていないので、嵩ばらず、材料費が安く、製造が簡単となる。さらに、絆創膏製品の上面における包装フィルムの重なり合った部分をそれぞれ掴んで両開きにすると、包装フィルムのシール部分が破れて開き絆創膏が露出するので、この絆創膏を包装フィルムから剥離させることにより、手取早く絆創膏を患部に貼ることができ、使いやすい。そして、折り畳まれているので、小さくて携帯に便利である。しかも、つぎのような便利な使い方ができる。第１に、一対の包装フィルムを両開きにして絆創膏の粘着面を露出しておいてから、一対の包装フィルムを絆創膏から剥離することにより、絆創膏を所望の場所に簡単に貼り付けることができる。第２に、一方の包装フィルムを剥離し絆創膏の半面を露出させて患部の近傍に貼付し、絆創膏が患部に重なるように、残りの包装フィルムを引っ張り絆創膏から剥がし取りながら、絆創膏を患部に貼付することができるので、片手で簡単に絆創膏を患部に正確に貼り付けることができる。
【０００７】
【発明の実施の形態】
つぎに、本発明の実施形態を図面に基づき説明する。
図１は本実施形態の絆創膏製品１の単体図であって、（ａ）は平面図、（ｂ）は（ａ）図のｂ−ｂ線断面図である。同図に示すように、本実施形態の絆創膏製品１は、絆創膏１０および包装フィルム２０から構成されたものである。
【０００８】
まず、絆創膏１０を説明する。
絆創膏１０は、本体シート１１、粘着層１２およびパッド１３から構成されたものであり、絆創膏用の剥離紙は備えていない。
なお、パッド１３は必ずしも必要なく、なくてもよい。
【０００９】
本体シート１１は、例えば軟質塩化ビニル等の伸縮性が高い樹脂製のものが好適であるが、種々の素材を採択しうる。
なお、本体シート１１には、小さな通気孔をいくつか形成しておくと、患部が蒸れないので好適である。
【００１０】
本体シート１１の一面には、粘着層１２が形成されている。この粘着層１２は、感圧接着剤が塗布されたものである。この感圧接着剤は、水性感圧接着剤でもホットメルト感圧接着剤でもよい。例えば、ゴム、アクリル、シリコーンやポリウレタン等が有機溶剤に溶かされた溶液型接着剤、有機溶剤に何も溶かされていない溶液型接着剤、ホットメルト型接着剤、アクリルやゴム等が含まれたエマルジョン型接着剤、カレンダー接着剤、並びに、ラジエーション硬化型接着剤（ＵＶ）など、種々の接着剤を使用しうる。
粘着層１２の中央部には、パッド１３が形成されている。このパッド１３は、ガーゼ等に、殺菌性のある塩化ベンザルコニウム等の薬剤を含浸させたものであるが、種々のパッドを採択しうる。
【００１１】
つぎに、包装フィルム２０を説明する。
包装フィルム２０は、フィルム本体２１に、シリコーン層２２が形成されたものである。
フィルム本体２１は、例えばポリエチレンやポリオレフィン、塩化ビニル等の熱可塑性樹脂製のフィルムである。
このフィルム本体２１に、シリコーン塗布機によってシリコーン液を塗布することにより、シリコーン層２２を形成することができる。
【００１２】
前記包装フィルム２０のシリコーン層２２に、絆創膏１０の粘着層１２が重ね合わされている。シリコーンと粘着剤は剥離性が高いため、包装フィルム２０から絆創膏１０を剥離させる場合、包装フィルム２０側に粘着剤が残らずに、キレイに剥離させることができる。
【００１３】
そして、包装フィルム２０のシリコーン層２２に絆創膏１０の粘着層１２が重ね合わされた状態で包装フィルム２０が絆創膏１０を内側にして、三つ折りされて折り畳まれている。三つに折り畳まれた包装フィルム２０において、中央部分を符号２１Ｂ　で示し、この両側部分を符号２１Ａ，２１Ｃ　で示している。そして、折り畳まれた状態の包装フィルム２０の上面における両側部分２１Ａ，２１Ｃ　の端縁同士が重ね合わされ、かつ、この包装フィルム２０の両側開口部分は、熱シールされている。熱シールされた部分をシール部分２３で示している。
【００１４】
上記のごとき構成の本実施形態の絆創膏製品１によれば、絆創膏１０は包装フィルム２０によって包装されているので、絆創膏１０を清潔に保つことができる。また、絆創膏１０の粘着層１２が包装フィルム２０のシリコーン層２２に重ね合わされているので、絆創膏１０の粘着層１２が包装フィルム２０に強く接着せず、用時には手軽に剥がすことができる。このため、絆創膏用の剥離紙が不要であり、絆創膏用の剥離紙を構成要素として備えていないので、嵩ばらず、材料費が安く、製造が簡単となる。そして、折り畳まれているので、小さくて携帯に便利である。
【００１５】
つぎに、本実施形態の絆創膏製品１の作用効果を説明する。
図２は本実施形態の絆創膏製品１の使用手順（前半）説明図である。図３は本実施形態の絆創膏製品１の使用手順（後半）説明図である。
まず、図２（Ｓ１１）、（Ｓ１２）に示すように、絆創膏製品１の上面における包装フィルム２０の重なり合った両側部分２１Ａ，２１Ｃ　をそれぞれ掴んで両開きにすると、包装フィルム２０のシール部分２３が破れて開き絆創膏１０が露出する。
そして、図３に示すように、この絆創膏１０を包装フィルム２０から剥離させることにより、手取早く絆創膏１０を患部ｆに貼ることができ、使いやすい。
【００１６】
つぎに、第二実施形態の絆創膏製品１Ｂを説明する。
図４は第二実施形態の絆創膏製品１Ｂの単体図であって、（ａ）は平面図、（ｂ）は（ａ）図のｂ−ｂ線断面図である。同図に示すように、第二実施形態の絆創膏製品１Ｂは、絆創膏１０、第１包装フィルム２６および第２包装フィルム２７から構成されたものである。
【００１７】
第二実施形態の絆創膏製品１Ｂにおける絆創膏１０は、前述の絆創膏製品１における絆創膏１０と実質同様のものである。そこで、第１包装フィルム２６および第２包装フィルム２７を説明する。
第１包装フィルム２６および第２包装フィルム２７はいずれも、フィルム本体２１に、シリコーン層２２が形成されたものである。
フィルム本体２１は、例えばポリエチレンやポリオレフィン、塩化ビニル等の熱可塑性樹脂製のフィルムである。
このフィルム本体２１に、シリコーン塗布機によってシリコーン液を塗布することにより、シリコーン層２２を形成することができる。
【００１８】
そして、一対の包装フィルム２６，２７が一端縁同士を重ね合わされている。これら一対の包装フィルム２６，２７の各シリコーン層２２に、絆創膏１０がその粘着層１２の半面ずつを、それぞれ重ね合わされた状態で、前記絆創膏１０を内側にして各包装フィルム２６、２７が折り畳まれている。折り畳まれた状態の一対の包装フィルム２６，２７の上面における他端縁同士が重ね合わされ、かつ、一対の包装フィルム２６，２７の両側開口部分は、熱シールされている。熱シールされた部分をシール部分２３で示している。
【００１９】
上記のごとき構成の第二実施形態の絆創膏製品１Ｂによれば、絆創膏１０は包装フィルム２６，２７によって包装されているので、絆創膏１０を清潔に保つことができる。また、絆創膏１０の粘着層１２が包装フィルム２６，２７の各シリコーン層２２に重ね合わされているので、絆創膏１０の粘着層１２が包装フィルム２６，２７に強く接着せず、用時には手軽に剥がすことができる。このため、絆創膏用の剥離紙が不要であり、絆創膏用の剥離紙を備えていないので、嵩ばらず、材料費が安く、製造が簡単となる。そして、折り畳まれているので、小さくて携帯に便利である。
【００２０】
つぎに、第二実施形態の絆創膏製品１Ｂの作用効果を説明する。
図５は第二実施形態の絆創膏製品１Ｂの使用手順（前半）説明図である。
まず、図５（Ｓ２１）〜（Ｓ２３）に示すように、絆創膏製品１の下面における一対の包装フィルム２６、２７の重なり合った両側部分をそれぞれ掴んで両開きにすると、包装フィルム２６、２７のシール部分２３が破れて開き絆創膏１０のパッド１３が露出する。
【００２１】
図６は第二実施形態の絆創膏製品１Ｂの使用手順（後半）説明図である。図７は第二実施形態の絆創膏製品１Ｂを患部に貼付するときの手順説明図である。図６（Ｓ２４）および図７（Ｄ２４）に示すように、絆創膏１０のパッド１３を患部ｆに接触させる。
そして、図６（Ｓ２５）および図７（Ｄ２５）に示すように、絆創膏１０を患部ｆの近傍に押し付けながら、第１包装フィルム２６を引っ張って絆創膏１０から剥がし取る。
最後に、図６（Ｓ２６）および図７（Ｄ２６）に示すように、絆創膏１０を患部の近傍に押し付けながら、第２包装フィルム２７を引っ張り絆創膏１０から剥がし取ることにより、絆創膏１０を患部に正確に貼付することができる。
【００２２】
第二実施形態の絆創膏製品１Ｂによれば、絆創膏１０を包装フィルム２６，２７から簡単に剥離させることができるので、手取り早く絆創膏１０を患部ｆに貼ることができ、使いやすい。
さらに、一対の包装フィルム２６，２７を両開きにして絆創膏１０のパッド１３を露出しておいてから、一対の包装フィルム２６，２７を絆創膏１０から剥離することにより、絆創膏１０を所望の場所に簡単に正確に貼付することができる。
【００２３】
第二実施形態の絆創膏製品１Ｂは、次のような使用手順でも使用することができるものである。
図８は第二実施形態の絆創膏製品１Ｂの第２使用手順（前半）説明図である。図９は第二実施形態の絆創膏製品１Ｂの第２使用手順（後半）説明図である。図８（Ｓ３１）、（Ｓ３２）、（Ｓ３３）に示すように、まず、片方の包装フィルム２６を引っ張り、絆創膏１０から剥がし取って、絆創膏１０の半面を露出させる。
つぎに、図９（Ｓ３４）、（Ｓ３５）に示すように、絆創膏１０のパッド３が患部ｆに重なるように、絆創膏１０の半面を患部ｆの近傍に貼付する。
そして、図９（Ｓ３６）に示すように、パッド１３が患部ｆに重合するように残りの包装フィルム２７を引っ張り、絆創膏１０から剥がし取りながら絆創膏１０を患部ｆに貼付することにより、絆創膏１０を患部ｆに正確に貼付することができる。この包装フィルム２７を引っ張るステップ（Ｓ３６）は片手でもできる。
よって、第二実施形態の絆創膏製品１Ｂによれば、片手で簡単に包装フィルム２７を絆創膏１０から剥がし取りながら絆創膏１０を患部ｆに正確に貼付することができる。
【００２４】
【発明の効果】
請求項１の発明によれば、絆創膏は包装フィルムによって包装されているので、絆創膏を清潔に保つことができる。また、絆創膏用の剥離紙を構成要素として備えていないので、嵩ばらず、材料費が安く、製造が簡単である。さらに、絆創膏を包装フィルムから剥離させることにより、手取早く絆創膏を患部に貼ることができ、使いやすい。そして、折り畳まれているので、小さくて携帯に便利である。
請求項２の発明によれば、絆創膏は包装フィルムによって包装されているので、絆創膏を清潔に保つことができる。また、絆創膏用の剥離紙を構成要素として備えていないので、嵩ばらず、材料費が安く、製造が簡単である。さらに、絆創膏を包装フィルムから剥離させることにより、手取早く絆創膏を患部に貼ることができ、使いやすい。そして、折り畳まれているので、小さくて携帯に便利である。しかも、つぎのような便利な使い方ができる。第１に、一対の包装フィルムを両開きにして絆創膏の粘着面を露出しておいてから、一対の包装フィルムを絆創膏から剥離することにより、絆創膏を所望の場所に簡単に貼り付けることができる。第２に、一方の包装フィルムを剥離し絆創膏の半面を露出させて患部の近傍に貼付し、絆創膏が患部に重なるように、残りの包装フィルムを引っ張り絆創膏から剥がし取りながら、絆創膏を患部に貼付することができるので、片手で簡単に絆創膏を患部に正確に貼り付けることができる。
【図面の簡単な説明】
【図１】本実施形態の絆創膏製品１の単体図であって、（ａ）は平面図、（ｂ）は（ａ）図のｂ−ｂ線断面図である。
【図２】本実施形態の絆創膏製品１の使用手順（前半）説明図である。
【図３】本実施形態の絆創膏製品１の使用手順（後半）説明図である。
【図４】第二実施形態の絆創膏製品１Ｂの単体図であって、（ａ）は平面図、（ｂ）は（ａ）図のｂ−ｂ線断面図である。
【図５】第二実施形態の絆創膏製品１Ｂの使用手順（前半）説明図である。
【図６】第二実施形態の絆創膏製品１Ｂの使用手順（後半）説明図である。
【図７】第二実施形態の絆創膏製品１Ｂを患部に貼付するときの手順説明図である。
【図８】第二実施形態の絆創膏製品１Ｂの第２使用手順（前半）説明図である。
【図９】第二実施形態の絆創膏製品１Ｂの第２使用手順（後半）説明図である。
【図１０】従来の絆創膏製品１０１　の単体図であって、（ａ）は平面図、（ｂ）は（ａ）図のｂ−ｂ線断面図である。
【図１１】従来の絆創膏製品１０１　の使用説明図である。
【符号の説明】
１　　　絆創膏製品
１０　　絆創膏
１１　　本体シート
１２　　粘着層
１３　　パッド
２０　　包装フィルム
２１　　フィルム本体
２２　　シリコーン層
２３　　シール部分
２６　　第１包装フィルム
２７　　第２包装フィルム
ｆ　　　患部
【図１】
2004024752.tif 000003
【図２】
2004024752.tif 000004
【図３】
2004024752.tif 000005
【図４】
2004024752.tif 000006
【図５】
2004024752.tif 000007
【図６】
2004024752.tif 000008
【図７】
2004024752.tif 000009
【図８】
2004024752.tif 000010
【図９】
2004024752.tif 000011
【図１０】
2004024752.tif 000012
【図１１】
2004024752.tif 000013